(57)【特許請求の範囲】
【請求項１】
遊技球を流入させる受入口と、遊技球を排出する排出口と、前記受入口から排出口への通路に介在し前記受入口側から前記排出口側への遊技球の移動を制御する通断部材とを備える遊技球通断装置において、
閉鎖位置と開放位置とに切換可能で前記開放位置にあるときには前記受入口から排出口への通路を遊技球通断装置の外に露呈させる扉部材と、
前記扉部材を前記閉鎖位置に停止させておく閉鎖位置保持手段と、
前記扉部材を前記開放位置に停止させておく開放位置保持手段と、
を備え、
前記遊技球通断装置の本体部には、該遊技球通断装置の内側から前記扉部材に及ぼされる圧力に対抗して前記扉部材を抑える抑止部材が設けられていること
を特徴とする遊技球通断装置。
【請求項２】
請求項１記載の遊技球通断装置において、
前記扉部材は板状で、その板厚方向に沿った支持軸を介して前記遊技球通断装置の本体部と連結されており、
前記扉部材には前記支持軸を中心とする円弧に沿った弧状部が設けられ、
前記抑止部材は、該遊技球通断装置の内側から前記扉部材に及ぼされる圧力に対抗して前記弧状部を抑え、
前記扉部材は、前記支持軸を中心にして前記抑止部材に沿って前記弧状部を移動させることで前記閉鎖位置と開放位置とに切り換えられる
ことを特徴とする遊技球通断装置。
【請求項３】
請求項１又は２記載の遊技球通断装置において、
前記通断部材は、取込位置と排出位置とに往復変位し、前記取込位置で前記受入口側から受け入れた遊技球を前記排出位置で前記排出口側に解放することで、一往復変位につき１個の遊技球を前記受入口側から前記排出口側へと通過させる
ことを特徴とする遊技球通断装置。
【発明の詳細な説明】
【技術分野】
【０００１】
本発明は、遊技球を用いる遊技機の技術分野に属し、詳しくは遊技球を例えば１個単位で通過させるための遊技球通断装置に関する。
【背景技術】
【０００２】
パチンコ機のように遊技球を用いる遊技機においては、遊技球を例えば１個単位で扱うために遊技球の移動（流れ）を通断する遊技球通断装置が用いられる。その代表的な例として、球皿からの遊技球を１個ずつ発射装置（発射レール）に供給するための整流器がある。
【特許文献１】特開平６−３１２０４５号公報
【発明の開示】
【発明が解決しようとする課題】
【０００３】
特許文献１の球送り装置に見られるように、従来の遊技球通断装置は、遊技球を流入させる受入口と遊技球を排出する排出口とを有するケース内に受入口から排出口への通路を形成し、またこの通路に介在し受入口側から排出口側への遊技球の移動を制御する通断部材もケース内に収容する構造が一般的であった。
【０００４】
ケースは、通断部材等をケース内に収容してからビス等で閉鎖されていたので、受入口から排出口への通路に侵入した異物を取り除いたり球詰まりを解除するために、ケースの分解が必要となることがあった。つまり、異物除去等のメンテナンスが容易でなかった。
【課題を解決するための手段】
【０００５】
請求項１記載の遊技球通断装置は、遊技球を流入させる受入口と、遊技球を排出する排出口と、前記受入口から排出口への通路に介在し前記受入口側から前記排出口側への遊技球の移動を制御する通断部材とを備える遊技球通断装置において、
閉鎖位置と開放位置とに切換可能で前記開放位置にあるときには前記受入口から排出口への通路を遊技球通断装置の外に露呈させる扉部材と、
前記扉部材を前記閉鎖位置に停止させておく閉鎖位置保持手段と、
前記扉部材を前記開放位置に停止させておく開放位置保持手段と、
を備え、
前記遊技球通断装置の本体部には、該遊技球通断装置の内側から前記扉部材に及ぼされる圧力に対抗して前記扉部材を抑える抑止部材が設けられていること
を特徴とする。
【０００６】
受入口は遊技球を１個ずつ順番に、つまり１列で流入させる構造とするのが、通断部材による遊技球の移動制御に都合がよい。ただし、受入口を複数にして各１列ずつで流入させる構成とすることも可能である。
【０００７】
排出口も受入口と同様に遊技球を１個ずつ順番に排出する構造とするのが、遊技球通断装置の用途、目的に適しているが、例えば排出口を複数にして各口から交互に排出する構成としたり、複数の受入口に対して１つの排出口を共用する構成としてもよい。
【０００８】
遊技球通断装置を通過する遊技球を計数する場合、通断部材の上流側（受入口側）か下流側（排出口側）のどちらかに遊技球検出用のセンサを設置すればよいが、普通は排出口側（通断部材から排出口に至る通路又は排出口）に該センサを設置する。なお、上流側（受入口側）と下流側（排出口側）の双方に該センサを設置して、それぞれの検出状態を対比すれば、通断部材が正常に作動しているか、球詰まりしていないか等の異常を検出できる。
【０００９】
通断部材の構成に特段の制限はないが、受入口側から排出口側への遊技球の移動を１個単位で制御可能な構成、例えば請求項３記載の構成が好ましい。また、スクリュー等の回転体を用いて遊技球を１個単位で通過させる構成としてもよい。
【００１０】
通断部材を往復変位させたり回転させるには駆動源となるアクチュエータが必要となるが、このアクチュエータは通断部材の動作（往復変位、回転等）に応じてソレノイド、モータ等から選択すればよい。
【００１１】
扉部材は、閉鎖位置と開放位置とに切換可能で、開放位置にあるときには受入口から排出口への通路を遊技球通断装置の外に露呈させる。但し、扉部材を閉鎖位置に停止させておく閉鎖位置保持手段を備えるので、遊技球通断装置の稼動に伴う振動や他からの衝撃等で扉部材が開放側に変位するのを防止できる。
一方、受入口から排出口への通路に侵入した異物を取り除いたり球詰まりを解除するためには、扉部材を開放位置にすればよく、例えばケースの分解は必要ない。しかも、扉部材を開放位置に停止させておく開放位置保持手段を備えるので、異物除去等のメンテナンスがきわめて容易になる。なお、扉部材を開放位置にした際に異物除去等のメンテナンスが可能なれば、受入口から排出口への通路が完全に露呈しなくてもよい。
【００１２】
請求項２記載の遊技球通断装置は、請求項１記載の遊技球通断装置において、前記扉部材は円弧に沿った弧状部を備える板状で、前記円弧の中心に対応する支持軸を介して前記遊技球通断装置の本体部と連結されて、前記支持軸を中心にして前記弧状部を移動させることで前記閉鎖位置と開放位置とに切り換えられる構成であり、
前記抑止部材は、該遊技球通断装置の内側から前記扉部材に及ぼされる圧力に対抗して前記弧状部を抑えるを特徴とする。
【００１３】
扉部材は板状の部材であり、外周の一部は円弧に沿った弧状部とされている。弧状部は、扉部材と遊技球通断装置の本体部とを連結する支持軸を中心にした円弧に沿っていて、扉部材は、支持軸を中心にして弧状部を移動させる揺動によって閉鎖位置と開放位置とに切り換えられる。
【００１４】
支持軸は遊技球通断装置の本体部又は扉部材の一部とされてもよいし、独立の部品とされてもよい。
遊技球通断装置の本体部には、少なくとも扉部材が閉鎖位置にあるときには遊技球通断装置の内側から扉部材に及ぼされる圧力（球圧）に対抗して弧状部を抑える抑止部材が設けられている。つまり、内側から及ぼされる球圧に対して、弧状部付近では抑止部材が扉部材を支える。また、扉部材の揺動中心となる支持軸も、球圧に抗して扉部材を支える働きをする。従って、内側から扉部材に及ぼされる圧力（球圧）によって扉部材が押し開けられるおそれはない。
【００１５】
抑止部材は、扉部材が閉鎖位置にあるときに球圧に抗して弧状部を支えれば十分ではあるが、扉部材を閉鎖位置〜開放位置の全範囲で弧状部を支える構成である方が、つまり弧状部が抑止部材の内面を摺動する構成が扉部材の移動を安定させるので望ましい。なお、抑止部材は一連で設けてもよいし、切れ切れに複数箇所に設けてもよい。
【００１８】
請求項３記載の遊技球通断装置は、請求項１又は２記載の遊技球通断装置において、前記通断部材は、取込位置と排出位置とに往復変位し、前記取込位置で前記受入口側から受け入れた遊技球を前記排出位置で前記排出口側に解放することで、一往復変位につき１個の遊技球を前記受入口側から前記排出口側へと通過させることを特徴とする。
【００１９】
通断部材は、一往復変位につき１個の遊技球を受入口側から受け入れて排出口側へと通過させる構造であるから、ソレノイドや電磁石のような往復動型のアクチュエータを駆動源にできる。この種のアクチュエータは比較的安価であり、また制御もオン、オフだけで済むから、遊技球通断装置及び制御系の単純化とコスト低下が可能である。また、遊技球発射装置のように動作が間欠的な装置とシンクロさせるのにも好適である。
【発明を実施するための最良の形態】
【００２０】
次に、本発明の実施例等により最良の実施形態を説明する。なお、本発明は以下の実施例等に限定されるものではない。
［実施例］
本発明の遊技球通断装置を、球皿からの遊技球を１個ずつ発射装置（発射レール）に供給するための整流器として具体化した実施例を説明する。
【００２１】
図１〜３に示すように、整流器１は、ベース１０、駆動部カバー５０、通断部材６０、通断部材６０の駆動源となる電磁石６８、扉部材７０、抑止部材９０等で構成されている。
【００２２】
ベース１０、駆動部カバー５０、通断部材６０、扉部材７０及び抑止部材９０は合成樹脂の成形品であり、本例ではいずれも透明な合成樹脂（例えばポリカーボネート）を使用している。透明な合成樹脂を用いることにより内部を視認可能になる。なお、扉部材７０だけを透明としても遊技球の通路（詳細は後述）を視認できるから、扉部材７０以外は不透明な材料でも構わない。
［ベース］
主に図４を参照してベース１０の構造を説明する。
【００２３】
ベース１０は、他の各部を支持する部材であり、整流器１を図示しない球皿の背面部に取り付けるための部材でもある。このため、外周部には球皿の背面部に取り付ける際に係止される取付爪１５が設けられている。
【００２４】
主板部１１の背面は通断部材６０のための軸受筒１３が突出しているものの、これ以外は平坦である。
主板部１１の前面には略コの字状の周壁１７が設けられており、その下側の端縁１７ａは通断部材６０の移動限度を規定する働きをする。
【００２５】
周壁１７の内側に沿ってＬ字状のリブ１９が設けられている。リブ１９には駆動部カバー４０取付用のピン２１とビス穴２３が設けられている。
リブ１９の内側には電磁石６８を取り付けるための台座２５が設けられ、軸受筒１３が開口している。
【００２６】
周壁１７の上側の端縁１７ｂ付近には、扉部材７０を支持するための軸体２７が立設されている。軸体２７は、図９に拡大して示すとおり、支持軸２７ａと舌状の抜止片２７ｂとからなる。
【００２７】
軸体２７の下方には第１通路リブ２９及び第２通路リブ３１による球樋３２が設けられ、主板部１１には球樋３２の上流端部に対応して受入口３３が開口している。受入口３３の屋根部３３ａは傾斜しており、受入口３３はテーパ状になっている。
【００２８】
第２通路リブ３１の斜め下方に垂下している垂下板３５にはゴト防止のための防御板３６が設けられている。
垂下板３５とこれに連接する副板部３７には、抑止部材９０取付用のピン３９が設けられている。また、副板部３７には、扉部材７０の開閉操作時に干渉を避けるための凹部４３が設けられている。
【００２９】
凹部４３の隣には、台状部４５が設けられている。台状部４５の凹部４３に面した側面４７は円弧状の湾曲しているが、一部がストッパ突起４９として凹部４３側に突出している。このストッパ突起は開放位置保持手段の一部となる。
［駆動部カバー］
次に、主に図５を参照して駆動部カバー５０の構造を説明する。
【００３０】
駆動部カバー５０は前面側の覆板部５１と背後のリブ５２、５３とからなる。
覆板部５１には、ベース１０のピン２１に対応したピン穴５４及びビス穴２３の対応したビス座穴５５と電磁石６８との干渉を避けるための穴５６が設けられている。また、覆板部５１の背面には軸受筒１３に対応して軸受５７が設けられている。
【００３１】
リブ５２は、ベース１０の周壁１７にほぼ対応しており、駆動部カバー５０をベース１０取り付けるとリブ５２が周壁１７の内側に嵌合状になる。
リブ５３の高さは、通断部材６０の動作を妨げないようにリブ５２よりも格段に低くされている。
【００３２】
覆板部５１のリブ５３に沿った縁部の内上方の「く」の字状の部分は、扉部材７０を抑えるための庇部５８とされ、その下側の鉛直部５９は排出口７９（図１参照）を形成する部材となる。
［通断部材及び電磁石］
次に、主に図６を参照して通断部材６０と電磁石６８を説明する。
【００３３】
通断部材６０は、ベース１０の軸受筒１３と駆動部カバー５０の軸受５７とに挿通された回動軸６１によってこれらと連結されており、回動軸６１を中心にして昇降変位する。一方、電磁石６８はベース１０の台座２５にネジ止めで固定されている。
【００３４】
通断部材６０には、回動軸６１の横に鉄片６２が取り付けられており、この鉄片６２を電磁石６８にて吸着、解放することにより通断部材６０が取込位置（吸着時、図６（ｂ））と排出位置（解放時、図６（ａ））とに昇降変位する。即ち、電磁石６８と鉄片６２とでフラッパソレノイドを構成していると言える。
【００３５】
鉄片６２の一端は腕状に突出した球止部６３に達している。球止部６３は、通断部材６０が図６（ａ）に示す排出位置にあるときには球樋３２の下流端を塞いで、遊技球Ｂが球樋３２から流出するのを阻む。一方、通断部材６０が図６（ｂ）に示す取込位置になると、球止部６３は球樋３２の下流端を開放して、遊技球Ｂが球樋３２から流出するのを許す。
【００３６】
球止部６３の下方には球受部６４が配されており、球樋３２から流出した遊技球Ｂは球受部６４によって受け止められる。球受部６４の上面６４ａには奥が高く手前が低い傾斜が施されているので、遊技球Ｂは上面６４ａの傾斜に沿って落下しようとする。しかしながら、手前側には扉部材７０があるのでこのままでは落下できない。
【００３７】
この通断部材６０が取込位置から排出位置に戻ると、球受部６４の上面６４ａと扉部材７０との間に十分な隙間ができるので、遊技球Ｂは排出口７９から落下する。この落下した遊技球Ｂは落下先に配されている発射レール（図示略）の上に乗り、発射装置（図示略）によって発射される。
【００３８】
通断部材６０の変位範囲は、鉄片６２が電磁石６８に接触する取込位置と通断部材６０の下端部が周壁１７の端縁１７ａに当たる排出位置との間に規制される。
［扉部材］
次に、主に図７を参照して扉部材７０を説明する。
【００３９】
扉部材７０には、ベース１０の軸体２７に取り付けるための軸穴７１が設けられている。軸穴７１は、支持軸２７ａの外径に対応した内径の軸受部７１ａと抜止片２７ｂに対応した凸部７１ｂとで構成されている。
【００４０】
図９（ｃ）に示すように軸穴７１の凸部７１ｂを抜止片２７ｂに合わせると軸体２７を軸穴７１に挿通でき（扉部材７０を軸体２７の着脱でき）、軸体２７を軸穴７１に挿通させてから扉部材７０を回すと、図９（ａ）、（ｂ）に示すように凸部７１ｂと抜止片２７ｂとの位置がずれるので扉部材７０を軸体２７から外すことはできない。
【００４１】
扉部材７０の軸穴７１に隣接する縁部の一方（図１において下側になる縁部）は、駆動部カバー５０の庇部５８に対応した「く」の字状で、差込部７２とされている。
扉部材７０には、軸穴７１（軸受部７１ａの心）を中心とする円弧に沿った円弧面７３が設けられ、その外側に沿って弧状部７４が設けられている。
【００４２】
弧状部７４は全体としては円弧に沿った帯状で、外周７４ａは円弧面７３と同心の円弧になっている。その外周７４ａの一方の端付近には２つのこぶ状の凸にてストッパ受７５が設けられている。このストッパ受７５は開放位置保持手段の一部となる。
【００４３】
また、ストッパ受７５とは反対側の端部には操作片７６が設けられている。操作片７６の中程には閉鎖位置保持手段の一部となる操作側ロック突起７７が設けられ、先端部には階段状の指掛７８が設けられている。操作片７６は、その基部のみで弧状部７４に連なっているため、指掛７８に力を及ぼすと基部を支点として板厚方向（図面の表裏方向）に弾性変形する。操作側ロック突起７７は基部側が傾斜面、指掛７８側が操作片７６の表面にほぼ垂直な面の山形である。指掛７８は、表面側からの押し操作をし易くするために立ち上がり形状とされている。これを階段状にしてあるのは押し操作時の滑り防止のためであるが、必ずしも階段状でなくてもよい。
［抑止部材］
次に、主に図８を参照して抑止部材９０を説明する。
【００４４】
抑止部材９０は固定部９１と抑止部９２とで構成されている。
固定部９１にはベース１０のピン３９に対応して３箇所のピン穴９３が設けられており、ピン穴９３にピン３９を嵌合させてベース１０に接着される。
【００４５】
抑止部９２の背面側は固定部９１と段差状になっており、固定部９１がベース１０に接着されていても抑止部９２とベース１０との間には隙間が確保される。この抑止部９２の背面側の隙間には図１、３に示されるように扉部材７０の弧状部７４が挿通されて、弧状部７４の移動領域ともなる。
【００４６】
抑止部９２の内縁９２ａは扉部材７０の円弧面７３に沿った円弧状、抑止部９２と固定部９１との段差９１ａも扉部材７０の外周７４ａに沿った円弧状であるから、支持軸２７ａを中心とする扉部材７０の回動変位を妨げない。
【００４７】
抑止部９２の背面９２ｂは弧状部７４に接触する設定であるが、一部（上端部）が表側に凹陥しており、ここに扉部材７０の操作側ロック突起７７に対応した固定側ロック突起９４（閉鎖位置保持手段の一部となる）が設けられている。
［組み立て］
上述のベース１０に電磁石６８を固定し、通断部材６０を取り付けて、駆動部カバー５０を取り付ける。また、抑止部材９０もベース１０に固着させる。そして、扉部材７０をを取り付ける。
【００４８】
扉部材７０の取付は、まず図９（ｃ）に示すように軸穴７１の凸部７１ｂを抜止片２７ｂに合わせて軸穴７１に軸体２７を挿通させる。そして、支持軸２７ａを中心として扉部材７０を時計回りに回すと、凸部７１ｂと抜止片２７ｂとの位置がずれるので扉部材７０は軸体２７から外れなくなる（図９（ａ）、（ｂ））。
【００４９】
扉部材７０をほぼ限度まで時計回りに回すと、図１に示すように、差込部７２が駆動部カバー５０の庇部５８の裏側に進入し、弧状部７４のほぼ全体が抑止部材９０の抑止部９２の背後になり、操作側ロック突起７７が固定側ロック突起９４に係止される。
【００５０】
また、第１通路リブ２９と第２通路リブ３１とによる球樋３２の前方が扉部材７０によって覆われて筒状の通路ができ、排出口７９が形成される。
［動作］
遊技球が球皿から流出して受入口３３から整流器１に流入してくる。
【００５１】
電磁石６８の電力が絶たれていれば、図６（ａ）に示すように通断部材６０は排出位置になっているので、受入口３３から球樋３２に流入してきた遊技球Ｂは球止部６３によって留められる。
【００５２】
電磁石６８に通電すると通断部材６０が図６（ｂ）に示す取込位置に変位するので、球止部６３が上方に退去して遊技球Ｂを通す。これによって球樋３２から流出した遊技球Ｂは球受部６４によって受け止められる。ただし、図６（ｂ）に示すとおり１個の遊技球Ｂしか球受部６４に受け入れられないから、後続の遊技球は球樋３２内に留められる。
【００５３】
電磁石６８への通電を絶つと、通断部材６０は自重（＋遊技球）にて排出位置に戻る。すると、球受部６４によって受け止められていた遊技球Ｂは球受部６４を離脱して排出口７９から発射レール上に落下する。この際、球止部６３が球樋３２を塞ぐ位置に戻っているので、後続の遊技球Ｂは上述の通り留められる。
【００５４】
このようにして、球皿からの遊技球Ｂの供給が続く限りは、通断部材６０の一往復変位につき１個の遊技球Ｂを受入口３３側から排出口７９側へと通過させる。
電磁石６８への通電すなわち通断部材６０の往復動を発射装置の動作と同調的に制御することで、遊技球を正確に１個ずつ発射レールに供給しては発射することができる。
【００５５】
通断部材６０は、一往復変位につき１個の遊技球Ｂを受入口３３側から受け入れて排出口７９側へと通過させる構造であるから、電磁石６８のような往復動型のアクチュエータを駆動源にできる。この種のアクチュエータは比較的安価であり、また制御もオン、オフだけで済むから、整流器１及び制御系の単純化とコスト低下が可能である。また、遊技球発射装置のように動作が間欠的な装置と同調させるのにも好適である。
［扉部材の開閉］
上記のように整流器１を稼働させて遊技球を発射装置に供給する際には扉部材７０は図１に示す閉鎖位置にされている。
【００５６】
この閉鎖位置では、操作片７６の操作側ロック突起７７が抑止部９２の固定側ロック突起９４に係止されているので、整流器１の稼働に伴う振動等で扉部材７０が移動することはない。
【００５７】
また、整流器１の球止部６３にて止められている遊技球Ｂを先頭にして、球皿まで遊技球の列ができているのが普通であるから、球樋３２内の遊技球から扉部材７０に作用する球圧は小さくはない。しかし、扉部材７０の差込部７２が駆動部カバー５０の庇部５８の背後になり、弧状部７４のほぼ全体が抑止部材９０の抑止部９２の背後になっていて、庇部５８及び抑止部９２が（軸体２７も）扉部材７０に作用する球圧を引き受ける。したがって、球圧によって扉部材７０が押し開けられることもない。
【００５８】
ところで、整流器１内の遊技球の経路、例えば球樋３２にほこりが着いたり、希にではあるが遊技球以外の異物（例えばプラスチックや金属の破片）が侵入することがある。
そのような場合の内部清掃に当たっては（また清掃以外の目的であっても）、扉部材７０を開くことができる。
【００５９】
具体的には、指掛７８に力を及ぼしてこれを凹部４３に押し込むように操作片７６を弾性変形させると、操作側ロック突起７７が固定側ロック突起９４から離脱する（係止が解除される）。そこで支持軸２７ａを中心にして扉部材７０を図１における反時計回り方向に回せば、弧状部７４が抑止部９２の背面９２ｂを摺動しながら扉部材７０が回動する。
【００６０】
扉部材７０が図３に示す開放位置に至ると、ストッパ受７５の２つのこぶの間に台状部４５のストッパ突起４９がはまり込むので、扉部材７０を回動させにくくなる。ここで扉部材７０に及ぼしていた力を解除すれば、ストッパ受７５の２つのこぶの間に台状部４５のストッパ突起４９がはまり込んでいるために、扉部材７０を開放位置のままにできる。
【００６１】
なお、扉部材７０が開放位置にあるときには、軸体２７を軸穴７１との相対関係は図９（ｂ）に示す通りであり、扉部材７０は軸体２７から外れない。
このようにして扉部材７０を開放位置にさせておいて、整流器１内の遊技球の経路（例えば球樋３２）を清掃したり、異物を取り除く作業等を行える。
【００６２】
扉部材７０は、閉鎖位置（図１に示す位置）と開放位置（図３に示す位置）とに切換可能で、開放位置にあるときには図３に示されるとおり受入口３３から排出口７９への通路をほぼ完全に露呈させるから、受入口３３から排出口７９までの範囲の清掃、異物取り除き、球詰まりの解除等は、扉部材７０を開放位置にすれば容易に行える。このため、かかる作業に際して整流器１を分解する必要はない。従って、清掃や異物除去等のメンテナンスがきわめて容易になる。
【００６３】
また、必要とあらば、扉部材７０を開放位置からさらに回動させて、図９（ｃ）に示すように軸体２７と軸穴７１とを整合させて（このとき弧状部７４は抑止部９２から外れている。）、扉部材７０を軸体２７から（すなわち整流器１の本体部から）取り外すこともできる。
【００６４】
なお、扉部材７０が透明な合成樹脂製であるから、扉部材７０を開けなくても異物等を容易に発見（位置を特定）できる。
清掃等の作業が済んだなら、上記とが逆に扉部材７０を回動させて閉鎖位置に戻す。この際は、操作側ロック突起７７の傾斜面が案内面となって操作片７６を弾性変形させるから、操作側ロック突起７７と固定側ロック突起９４とを係止させるために指掛７８に力を掛ける必要はない。
【００６５】
支持軸２７ａを中心にした扉部材７０の移動は、弧状部７４を抑止部９２の背面９２ｂに摺動させながらおこなわれるので、その移動はきわめて安定的である。
［その他］
実施例は球皿からの遊技球を発射レールに供給するための整流器を示したが、他の遊技球通断装置（例えば払出装置）に本発明を適用することもできる。
【００６６】
また、通断部材は実施例のような往復動型以外にも、例えばスクリューやスプロケット等の回転型を用いることができる。或いは遊技球の通路に進出することで遊技球の移動を止め退去することで移動を許す構成でもよい。
【００６７】
実施例では整流器から排出される（又は流入する）遊技球を検出するためのセンサは備えていないが、必要であれば適宜の位置に設置すればよい。
【図面の簡単な説明】
【００６８】
【図１】実施例の整流器の三面図。
【図２】実施例の整流器の背面図。
【図３】実施例の整流器で扉部材７０開放位置にした状態の正面図。
【図４】実施例の整流器のベースの正面図（ａ）、側面図（ｂ）及び背面図（ｃ）からなる説明図。
【図５】実施例の整流器の駆動部カバーの三面図。
【図６】実施例の整流器における通断部材と電磁石の説明図。
【図７】実施例の整流器の扉部材の三面図。
【図８】実施例の整流器の抑止部材の正面図（ａ）、側面図（ｂ）、平面図（ｃ）及び背面図（ｄ）からなる説明図。
【図９】実施例の整流器において扉部材を回動させた際の軸体と軸穴の関係の説明図。
【符号の説明】
【００６９】
１・・・整流器（遊技球通断装置）、
２７・・・軸体、
２７ａ・・・支持軸、
３２・・・球樋、
３３・・・受入口、
４９・・・ストッパ突起（閉鎖位置保持手段）、
６０・・・通断部材、
６２・・・鉄片、
６８・・・電磁石（アクチュエータ）、
７０・・・扉部材、
７１・・・軸穴、
７１ａ・・・軸受部、
７４・・・弧状部、
７５・・・ストッパ受（閉鎖位置保持手段）、
７６・・・操作片、
７７・・・操作側ロック突起（開放位置保持手段）、
７９・・・排出口、
９０・・・抑止部材、
９２・・・抑止部、
９４・・・固定側ロック突起（開放位置保持手段）、
Ｂ・・・遊技球
【図１】
0004690644.tif 000002
【図２】
0004690644.tif 000003
【図３】
0004690644.tif 000004
【図４】
0004690644.tif 000005
【図５】
0004690644.tif 000006
【図６】
0004690644.tif 000007
【図７】
0004690644.tif 000008
【図８】
0004690644.tif 000009
【図９】
0004690644.tif 000010